(57)【要約】【目的】  本発明は、生コンをミキサー車のミキサードラムに生コンを投入するときに、生コンをドラムの中に誘導するために既設のホッパーを取り外すことによって、生コンのミキサー車へ投入時に付着する生コンを洗浄する時間を短縮できるようにすると共に、生コンの最大積載量を増加させ、且つスラッジ水を少なくすることによって、産業廃棄物を減少させることができるようにする。【解決手段】  車体(1)上における既設のミキサードラム(2)の生コン投入口(3)から生コン投入用のホッパー(4)を取外し、生コン供給タンク(5)の生コン送出シューター(6)を当該生コン投入口(3)に挿入または離反させる調節機構(7)を具備したことを特徴とする生コンミキサー車の構成。【選択図】      図１
2015205588.tif 000002
【特許請求の範囲】
【請求項１】
車体(1)上における既設のミキサードラム(2)の生コン投入口(3)からホッパー(4)を取外し、生コン供給タンク(5)の生コン送出シューター(6)を当該生コン投入口(3)に挿入または離反させる機構(7)を具備したことを特徴とする生コンミキサー車。
【請求項２】
生コン供給タンク(5)の下部に生コン送出シューター(6)を垂直位置から約９０度の水平角度で後方向に回動できるようにすると共に、その生コン送出シューター(6)をミキサードラム(2)の生コン投入口(3)の高さに合わせて上下動できる調節機構(8)を具備した生コン供給タンク(5)を備えたことを特徴とする生コン投入ホッパー(4)のないミキサードラム(2)に生コンを積載する生コン投入装置。
【請求項３】
ミキサードラム(2)の生コン投入口(3)の上部に開閉蓋(10)を備え、これを上下動機構(11)によって投入口面に沿って移動させて生コン投入口(3)を開閉できるようにした請求項１記載の生コンミキサー車。
【発明の詳細な説明】
【技術分野】
【０００１】
本発明は、生コンクリート（以下「生コン」という。）をトラックミキサー車（以下、「ミキサー車」という。）のドラムに生コンを投入するときに、生コンを回転ドラムの中に誘導するために装着されているホッパーを取り外すことによって、ミキサー車への投入時に付着する生コンを洗浄する時間を短縮できるようにすると共に、且つスラッジ水を少なくすることによって、産業廃棄物を減少させることができると共に、生コンの最大積載量を増加させることができるようにしたものである。
【背景技術】
【０００２】
一般に、ミキサー車は、生コンを積載するミキサードラムと、その後部上方に有する生コン投入口にホッパーが必ず取り付けられている。そして、そのミキサードラムは、荷台に傾斜して据付けられ、走行中も常に回転できるような構造になっている。また、ホッパーは生コン工場等において、生コンタンクからドラムに生コンを積込む際になるべく多くの量をこぼれないようにしながらミキサードラム内に誘導するために取付けられている。
【０００３】
一方、ミキサードラムの生コン投入口からホッパーを外した状態で生コンをミキサードラム内に投入するミキサー車が開示されている。
【先行技術文献】
【特許文献】
【０００４】
【特許文献１】特開平１１−２３５９４６号公報
【特許文献２】実開昭６２−１７５９０７号公報
【特許文献３】実開平０７−０１２２１０号公報
【０００５】
特許文献１は、所定の位置でドラムが回転する既製のコンクリートミキサー車とは異なり、車体に搭載された回転ドラムを、開口部を下に向けたり、上に向けたりして傾動できるようにして、生コンの供給及び排出が簡単かつ十分にできるようにすると共に、生コン排出後の洗滌に伴う洗滌水についても、これを簡単かつ十分に排水でき、又、生コンの収容量や走行条件等に対応して回転ドラムの傾斜角度を任意に可変することができるようにした生コンミキサー車である。
【０００６】
また、特許文献２も、既製のコンクリートミキサー車とは異なり、回転ドラムそのものを上下動機構及び傾斜調節できるようにしたものである。
【０００７】
上記各特許文献の回転ドラムは、いずれも上下動したり、傾斜角度を変えることによって、ホッパーがなくても生コンをドラム内にこぼれることなく投入できるようにしたものである。
【０００８】
特許文献３は、ミキサータンクに生コンを投入する積込装置に関するものであり、生コンの製造プラントにおいて、門型の脚柱上部に渡架したレール上を台車を介して補助ホッパーを走行させてアジテータトラック(生コンミキサー車）のミキサードラムのホッパー付きの投入口まで移動して生コン供給タンクからの生コンを投入する構造になっている。
【発明の概要】
【発明が解決しようとする課題】
【０００９】
上記の特許文献１及び２の生コンミキサー車のミキサードラムは、いずれも特別仕様の構造になっているため、既設のミキサードラムには適用できない。
生コンミキサー車には適用できない。
また、特許文献３の生コン積込装置は、停車している生コンミキサー車の生コン投入口に対して横方向の調節はできるが、その生コン投入時は必ずミキサードラムの投入口にホッパーを必要とする。
【課題を解決するための手段】
【００１０】
本発明は、ミキサー車におけるミキサードラムの生コン投入口から既設のホッパーを取外した状態で生コンをこぼれることなくミキサードラムに積載する生コン投入装置を得ることを目的とする。
【００１１】
本発明の第１は、生コンミキサー車において、ミキサードラムの生コン投入口からホッパーを取外し、生コン供給タンクの送出シューターを当該生コン投入口に挿入または離反させる機構を具備したものである。
【００１２】
本発明の第２は、第１の発明に係る生コンミキサー車において、ミキサードラムの生コン投入口の上部に開閉蓋を備え、これをモータ及び上下動機構によって投入口面に沿って移動させて生コン投入口を開閉できるようにしたものである。
【００１３】
本発明の３は、生コンミキサー車の生コン投入ホッパーのないミキサードラムに生コンを積載する生コン投入装置において、生コン供給タンクの下部に生コン送出シューターを原位置となる垂直位置から約９０度の水平角度で後方向に回動できるようにすると共に、その送出シューターをミキサー車の高さに合わせて上下動できるようにしたものである。
【００１４】
本発明の第３は、生コンミキサー車において、ミキサードラムの生コン投入口の上部に開閉蓋を備え、これをモータ及び上下動機構によって投入口面に沿って移動させて投入口を開閉できるようにしたものである。
【発明の効果】
【００１５】
本発明は上記の構成であるから、次のような効果がある。第１に、ミキサードラムの生コン投入口のホッパーを取り外すことにより、生コンの最大積載量の増加を図ることができる。
第２に、ミキサードラムの投入口のホッパーを取り外すことにより、生コンの最大積載量を増加させることができるようになり、重量の規制の範囲内における生コンの１回の運搬量の効率化が図れる。
第３に、ホッパーを取り外すと、加水できなくなることにより、生コンの品質が良好になる。
第４に、毎回脱水を省くことにより、時間の短縮になる。
第５に、スラッジ水が少なくなるために産業廃棄物が少なくなる効果がある。
【図面の簡単な説明】
【００１６】
【図１】本発明に係る生コンミキサー車に生コン供給タンクから生コンを投入する状態を示す側面図である。
【図２】図１の生コンミキサー車におけるミキサードラム投入口に生コン供給タンクの送出シューター先端部を挿入した状態の拡大側面図である。
【図３】図２の生コン供給用タンクとその生コン送出用シューターの側面図である。
【図４】図２の背面図である。
【図５】図１に示すミキサードラムの生コン投入口から生コン投入用ホッパーを取り除いた生コンミキサー車の側面図である。
【図６】ミキサードラムの投入口を塞ぐ密閉蓋の開閉機構を示す側面図である。
【図７】従来のミキサードラムの生コン投入口に生コン投入用ホッパーが既設されている既製の生コンミキサー車の側面図である。
【発明を実施するための形態】
【００１７】
本発明の上記構成において、生コン工場において、既製の生コンミキサー車の既設ミキサードラムの投入口から既設されているホッパーを取外しておく。
一方、生コン工場に設置されている生コン供給装置の生コンタンクの下部に、生コン供給タンクの送出シューターを当該生コン投入口に挿入または離反させる機構が具備されている。
そして、上記の送出シューターは、その原位置となる垂直位置から後方向に約９０度の角度で水平位置になるまで回動できるようにすると共に、その送出シューターをミキサー車の高さに合わせて上下動できるようにした生コン投入装置を備えてある
次に、生コンミキサー車のミキサータンク投入口を生コン供給タンクの位置に合うまで走行して停止する。
この停止位置において、生コンの送出シューターの先端部が当該ミキサードラムの生コン投入口に適合する高さに高さ調節機構を駆動して調節する。
そして、あらかじめ垂直位置から後方に約９０度に水平位置まで回動して引き上げておいた生コン送出シューターを回動調節機構を駆動して下向きに垂直の原位置まで下降してその先端部を投入口内に挿入させる。
この状態で、生コンタンクから生コンを供給すると送出シューターを介してミキサードラム内に投入される。
【実施例】
【００１８】
次に、図面に即して説明する。１は生コンミキサー車の車体、２は車体上における既設の回転型のミキサードラム、３はミキサードラム２の生コン投入口であり、既設の生コン投入ホッパー４（図６）を取外してある。５は生コン製造装置における生コン供給タンク、６は生コン供給タンク５の下部に配置した生コン送出用シューターであり、当該タンクに近い中間筒６１、その直下に位置する受け筒部６２、当該受け筒部と一体の曲成筒部６３とで成形されている。その曲成筒部６３は、先端部が垂直線に対して約９０度の角度に曲成されている。当該送出シューターの中心線は通常は垂直位置にあり、この位置から後方に約９０度の角度で水平位置まで回動しながら引き上げられするようになっている。
７は、生コン送出シューター６の中間筒部付きの受け筒部６２にステー７１・回転軸７２を介して油圧シリンダーによって調節を行う回動機構、８は、シューター６の高さを所定の間隔Ｓの範囲において油圧シリンダー等で上下動の調節を行う上下動機構であり、進退するロッドに送出シューター６の中間筒６１と、これと結合している送出シューター回動機構７と、当該回動機構を支持する取付け部材９を所定の間隔Ｓで上下動させるようになっている。当該取付部材９は、送出シューター回動機構７のほか、生コンの送出シューター６も支持している。１０は投入口３を塞ぐための密閉蓋であり、適宜の蓋開閉駆動機構１１、例えば蓋側にラック１１１、これに歯合するピニオン１１２をモータ１１３で駆動して蓋１０を上下動させる構成を示す。当該モーターはミキサードラム２の頂部に設置してある。
【００１９】
「具体的な作業工程例」
上記の構成に基づく作業工程例は次のとおりである。
（１）本発明は上記構成において、生コン工場において、既製の生コンミキサー車のミキサードラム２の投入口３から既設されているホッパー４を取外しておく。
（２）一方、生コン工場に設置されている生コン供給装置の生コン供給タンク５の下部に、生コン送出シューター６を当該生コン投入口３に挿入または離反させる回動機構７が具備されている。
（３）上記のシューター６の回動機構７は、進退するロッド先端をステー７１に連結し、そのステー先端部を受け筒部６２に固着してあり、当該ステーを回動機構７の支持部材９に軸７２で結合し、回動機構７のロッドの進出により受け筒部６２と受け筒部６２を後方に跳ね上げるように回動させる。
（４）そして、上記の送出シューター６は、その原位置となる垂直位置から後方向に約９０度の角度で水平位置まで回動しながら引き上げることができるようにすると共に、その送出シューター６をミキサー車の高さに合わせて上下動できるようにした高さ調節機構８を生コンタンク５側に備えてある。
（５）次に、生コンミキサー車のミキサードラム２の投入口３を生コン供給タンク５の生コンの送出シューター６に適合する位置まで走行して停止する。
（６）この停止位置において、送出シューター６の先端部が当該投入口３に適合する高さに高さ調節機構８を駆動して調節する。これは、生コンミキサー車の車型やミキサードラムの架装メーカー等の相違によって、全高が異なるため、高さ調節機構８による調節が必要になる。
（７）上記の高さ調節機構８は、生コン供給タンク５側に設け、進退するロッドに送出シューター６の中間筒６１と、これと結合している送出シューター回動機構７を所定の間隔Ｓで上下動させる。
（８）そして、ミキサードラム２の投入口３に対し、あらかじめ後方に約９０度の水平状態に回動停止しておいた生コン送出シューター６を回動調節機構７を駆動して先端部位を下降方向に回動してその先端を投入口３内に挿入させる。
（９）この状態で、生コンタンク５から生コンを供給すると送出シューター６を介してミキサードラム２内に投入される。この際、送出シューター先端は投入口３内に挿入されていることにより、ホッパー４がなくても外部に漏れることなく、全てミキサードラム２内に収納される。
【産業上の利用可能性】
【００２０】
本発明は、ミキサードラム２の既設の生コン投入用ホッパー４を取り外し、且つ生コン送出シューター６の先端を投入口３内に確実に挿入することによって、当該生コンを外部にこぼすことなく、確実にミキサードラム内に積載できるから、生コン投入作業終了後にホッパーの洗浄やその投入口周辺の洗浄作業を省略できる。
また、重量分の生コンを積載することができるから、車種、車型、架装メーカーを問わず、既製の生コンミキサー車に適用することが可能である。
【符号の説明】
【００２１】
１…車体
２…ミキサードラム
３…投入口
４…ホッパー
５…生コン供給タンク
６…生コン送出シューター
７…生コン送出シューターの回動調節機構
８…生コン送出シューターの高さ調節機構
９…生コン送出シューターと生コン送出シューターの回動調節機構を支持する取付部材
１０…生コン投入口の密閉蓋
１１…蓋開閉駆動機構
【図１】
2015205588.tif 000003
【図２】
2015205588.tif 000004
【図３】
2015205588.tif 000005
【図４】
2015205588.tif 000006
【図５】
2015205588.tif 000007
【図６】
2015205588.tif 000008
【図７】
2015205588.tif 000009